(57)【特許請求の範囲】
【請求項１】
大型構造物に開設された孔に挿入される挿入部を後部に有し、該挿入部の中心軸線上に位置する指標を備えた再帰反射面を前部に備えた中心座標測定用ターゲットにおいて、前記挿入部内に先端にテーパ部が形成された同期部材をバネにより前方に付勢されるようにして設け、前記挿入部の円周方向に等間隔で少なくとも３つの求心突片を設け、前記求心突片の尾端部を傾斜させて前記同期部材の前記テーパ部に当接させ、前記求心突片を該挿入部の中心軸線から先端までの距離が相互に等しくなるように同期して挿入部の外周面から進退自在に突出するようにし、前記指標の背面には環状の永久磁石を設けたことを特徴とする中心座標測定用ターゲット。
【発明の詳細な説明】
【０００１】
【発明の属する技術分野】
本発明は、橋梁等を構成する大型構造物に開設されたボルト孔等の孔の中心座標を求めるために該孔に取り付けられる中心座標測定用ターゲットに関する。
【０００２】
【従来の技術】
大型構造物が設計書通り作成されているかを測定するため、大型構造物に開設された孔に中心座標測定用ターゲットを取り付け、該中心座標測定用ターゲットを測距測角儀により測定することにより孔の中心座標を求め、該孔の中心座標から大型構造物の形状を求める方法が知られている。この方法に用いられる従来の中心座標測定用ターゲットとして、例えば特開平１０−３８５７３号公報により、大型構造物に開設された孔に挿入される円柱状の挿入部を後部に有し、該挿入部の中心軸線上に位置する指標を備えた再帰反射面を前部に備えたものが知られている。
【０００３】
【発明が解決しようとする課題】
上記公報により知られている従来の中心座標測定用ターゲットでは、測距測角儀で測量する際に、再帰反射面に記された指標に測距測角儀側の十字線を合わせて測量を行う。従って、孔の中心軸上に再帰反射面の指標を一致させなければならない。指標は挿入部の中心軸線上に位置しているので、孔の中心軸線に対して挿入部の中心軸線を一致させてやればよい。そのため、挿入部の外周面と孔の内周面との間に隙間が生じないことが望まれる。一方、大型構造物に開設する孔はボルト孔やリベット孔であるので、直径誤差は比較的大きくてもよいため、実際に開設される孔の直径のばらつきが大きくなる。いずれの孔にも挿入部を挿入するためには挿入部の太さを一番小さい孔の直径より細くしなければならない。ところがこのように挿入部を細くするとほとんどの孔の内周面と挿入部の外周面との間に隙間が生じ、挿入部の中心軸線が孔の中心軸線に一致しない状態で中心座標測定用ターゲットが孔に取り付けられる。その結果、該中心軸線のずれにより測定誤差が生じる。
【０００４】
そこで本発明は、上記の問題点に鑑み、孔の直径がばらついても孔の中心軸線に挿入部の中心軸線を一致させることのできる中心座標測定用ターゲットを提供することを課題とする。
【０００５】
【課題を解決するための手段】
上記課題を解決するために本発明は、大型構造物に開設された孔に挿入される挿入部を後部に有し、該挿入部の中心軸線上に位置する指標を備えた再帰反射面を前部に備えた中心座標測定用ターゲットにおいて、前記挿入部内に先端にテーパ部が形成された同期部材をバネにより前方に付勢されるようにして設け、前記挿入部の円周方向に等間隔で少なくとも３つの求心突片を設け、前記求心突片の尾端部を傾斜させて前記同期部材の前記テーパ部に当接させ、前記求心突片を該挿入部の中心軸線から先端までの距離が相互に等しくなるように同期して挿入部の外周面から進退自在に突出するようにし、前記指標の背面には環状の永久磁石を設けたことを特徴とする。
【０００６】
上記求心突片の先端は挿入部の中心軸線から先端までの距離が相互に等しくなるように同期して挿入部の外周面から進退自在に突出するので、各求心突片の先端を通る外接円の中心は挿入部の中心軸線上に位置することになる。従って、挿入部の外周面と孔の内周面との間に隙間が生じても、求心突片が突き出して各求心突片の先端が孔の内周面に当接することにより、孔の中心軸線に挿入部の中心軸線が一致する。
【０００７】
【発明の実施の形態】
図１を参照して、１は本発明による中心座標測定用ターゲット（以下発明の実施の形態の欄においてターゲットという）であり、大型構造物である橋梁部材Ｂの両端に開設されたボルト孔の各々に取り付けられている。そして、各ターゲット１の座標を測距測角儀Ｍにより測定し、各ターゲット１の座標をボルト孔の座標として、橋梁部材Ｂが設計書通りに加工されているかを検証する。尚、該橋梁部材ＢはいわゆるＨ型鋼で作成されている。
【０００８】
図２及び図３を参照して、ターゲット１の後部には先端がテーパ状に加工された円柱状の挿入部２が設けられており、該挿入部２の前側には挿入部２より大径のターゲット部３が形成されている。該ターゲット部３の背面３０には環状の永久磁石４が取り付けられており、橋梁部材Ｂに開設されたボルト孔Ｈに挿入部２を挿入し、ターゲット部３の背面３０を橋梁部材Ｂの表面に当接させると、永久磁石４の磁力により背面３０が橋梁部材Ｂの表面に吸着され、段部３ａに指をかけて前方に引き抜かない限り挿入部２がボルト孔Ｈから抜けないようにしている。一方、ターゲット部３には前方に向かってテーパ状に拡がる開口３１が形成されており、該開口３１の底部には再帰反射面を形成するためにプリズムシート３２が貼着されている。該プリズムシート３２の仮想反射面が再帰反射面であり、仮想反射面の前後方向の位置が上記背面３０に一致するように開口３１の底部が形成されている。該プリズムシート３２の表面には図４に示すように、指標である円３２ａと十字線３２ｂとが描画されている。該円３２ａの中心及び十字線３２ｂの交点は共に挿入部２の中心軸線上に位置するように設定されている。本発明では挿入部２に、円周方向に等間隔を存して３つの求心突片２１を設けた。挿入部２内には先端にテーパ部５１が形成された同期部材５がバネ５２により前方に付勢された状態で封止されている。各求心突片２１は挿入部２に対して進退自在に保持されており、かつ求心突片２１の尾端部２１ａは傾斜しており、同期部材５のテーパ部５１に当接している。従って、ばね５２の付勢力がテーパ部５１から各求心突片２１の尾端部２１ａに作用して、各求心突片２１は常に外方に付勢されている。また、求心突片２１の先端を押せば尾端部２１ａからテーパ部５１に押し込み力が作用し、同期部材５はばね５２の付勢力に抗して後方に戻される。同期部材５は同期部材５の中心軸線が挿入部２の中心軸線に一致した状態で前後に移動するように保持されているので、各求心突片２１は同期して進退し、各求心突片２１の先端を通る外接円の中心は常に挿入部２の中心軸線上に位置することになる。すると、図３に示すように挿入部２の外周面とボルト孔Ｈの内周面との間に比較的広い隙間が形成されるような場合であっても、各求心突片２１が同期して外方に突き出し、各求心突片２１の先端がボルト孔Ｈの内周面に当接する。すると、挿入部２の中心軸線はボルト孔Ｈの中心軸線に一致することになり、プリズムシート３２に描画された円３２ａの中心及び十字線３２ｂの交点は共にボルト孔Ｈの中心軸線上に位置することになる。そしてその状態で測距測角儀Ｍにより十字線３２ｂを視準してターゲット１の座標を測定すれば、該ターゲット１の座標が即ちボルト孔Ｈの中心座標となる。従って、挿入部２の外径を、ボルト孔Ｈの加工精度を考慮していずれのボルト孔Ｈにも挿入できるように比較的小径に形成しても、挿入部２の中心軸線がボルト孔Ｈの中心軸線から外れず、ボルト孔Ｈの中心座標を正確に測定することができる。
【０００９】
【発明の効果】
以上の説明から明らかなように、本発明は、挿入部に求心突片を設けたので、大型構造物に形成した孔の内周面と挿入部の外周面との間に隙間が生じる場合であっても中心座標測定用ターゲットを孔の中心軸線に一致させて取り付けることができ、測距測角儀等により孔の座標を測定する際に中心座標測定用ターゲットの取り付け誤差による測定誤差が生じない。
【図面の簡単な説明】
【図１】本発明の一実施の形態の構成を示す図
【図２】ターゲットの後部斜視図
【図３】ターゲット装着状態を示す断面図
【図４】プリズムシート表面を示す図
【符号の説明】
１  （中心座標測定用）ターゲット
２  挿入部
３  ターゲット部
５  同期部材
２１  求心突片
３２  プリズムシート
【図１】
0004195147.tif 000002
【図２】
0004195147.tif 000003
【図３】
0004195147.tif 000004
【図４】
0004195147.tif 000005